【手続補正書】
【提出日】平成24年8月23日(2012.8.23)
【手続補正１】
【補正対象書類名】明細書
【補正対象項目名】発明の名称
【補正方法】変更
【補正の内容】
【発明の名称】再生装置、撮像装置、及びその制御方法、表示装置及び表示方法
【手続補正２】
【補正対象書類名】明細書
【補正対象項目名】００１０
【補正方法】変更
【補正の内容】
【００１０】
上記目的を達成するために、立体映像撮像装置によって撮像された立体映像を再生する再生装置であって、立体映像の画像データと、前記立体映像の画像データに関連付けて記録された付加データとを入力する入力手段と、前記付加データに基づいて前記立体映像における撮像時の注目位置の奥行きを示す奥行き情報を取得する取得手段と、前記取得した奥行き情報に基づいて視差が設定された前記立体映像に重畳して表示するための前記立体映像以外の他映像の画像データを生成する生成手段と、前記立体映像の画像データに前記生成手段によって生成された前記他映像の画像データを重畳する重畳手段と、前記重畳手段により前記他映像の画像データが重畳された前記立体映像の画像データを表示装置に出力する表示出力手段とを有する。また、立体画像を表示するために右画像と左画像とを表示装置に出力する表示手段と、前記立体画像における注目点の奥行きを取得する取得手段と、制御手段とを有し、前記制御手段は、前記注目点の奥行きに基づいて、前記右画像に第１の画像を重畳し、前記左画像に第２の画像を重畳するように前記表示手段を制御し、前記第１の画像は前記第２の画像に対して前記注目点の奥行きに対応する所定の視差を有する。また、立体映像を撮像する撮像手段と、前記撮像手段による撮像時における前記立体映像中の注目位置の奥行きを検出する検出手段と、前記撮像手段によって撮像された前記立体映像の画像データと、前記検出手段によって検出された前記注目位置の奥行きを示す情報とを記録媒体に記録する記録手段と、前記記録媒体に記録された前記立体映像の画像データと、前記奥行きを示す情報とを読み出す読み出し手段と、前記読み出し手段によって読み出された前記奥行きを示す情報に基づいて視差が設定された、前記立体映像に重畳して表示するための重畳画像を生成する生成手段と、前記立体映像の画像データと、前記生成手段によって生成された前記重畳画像のデータとを合成し、当該合成された立体映像の画像データを表示装置に出力する表示出力手段とを有する。
【手続補正３】
【補正対象書類名】特許請求の範囲
【補正対象項目名】全文
【補正方法】変更
【補正の内容】
【特許請求の範囲】
【請求項１】
立体映像撮像装置によって撮像された立体映像を再生する再生装置であって、
立体映像の画像データと、前記立体映像の画像データに関連付けて記録された付加データとを入力する入力手段と、
前記付加データに基づいて前記立体映像における撮像時の注目位置の奥行きを示す奥行き情報を取得する取得手段と、
前記取得した奥行き情報に基づいて視差が設定された前記立体映像に重畳して表示するための前記立体映像以外の他映像の画像データを生成する生成手段と、
前記立体映像の画像データに前記生成手段によって生成された前記他映像の画像データを重畳する重畳手段と、
前記重畳手段により前記他映像の画像データが重畳された前記立体映像の画像データを表示装置に出力する表示出力手段と
を有することを特徴とする再生装置。
【請求項２】
前記立体映像の画像データ及び前記奥行き情報を含む付加データは、前記立体映像撮像装置によって予め記録媒体に記録されていて、
前記入力手段は前記記録媒体から前記付加データを読み出し、前記取得手段は、読み出された前記付加データから前記奥行き情報を取得することを特徴とする請求項１に記載の再生装置。
【請求項３】
前記注目位置は、前記立体映像撮像装置における、撮影者の注視位置、撮像時の合焦位置、撮像時に検出した顔の位置のいずれかであることを特徴とする請求項１または２に記載の再生装置。
【請求項４】
前記取得手段は、
前記付加データに基づいて前記立体映像の注目位置を検出する位置検出手段と、
前記立体映像における前記検出した注目位置の奥行きを求め、該求めた奥行きを示す奥行き情報を取得する奥行き検出手段と
を有することを特徴とする請求項１に記載の再生装置。
【請求項５】
前記位置検出手段は、前記付加データに基づいて前記立体映像から顔を検出する顔検出手段を含み、前記注目位置は、前記検出された顔の位置であることを特徴とする請求項４に記載の再生装置。
【請求項６】
前記位置検出手段は、前記付加データに基づいて前記立体映像の合焦位置を検出する合焦位置検出手段を含み、前記注目位置は、前記検出された合焦位置であることを特徴とする請求項４に記載の再生装置。
【請求項７】
立体映像を撮像する撮像手段と、
前記撮像手段による撮像時における前記立体映像中の注目位置の奥行きを検出する検出手段と、
前記撮像手段によって撮像された前記立体映像の画像データと、前記検出手段によって検出された前記注目位置の奥行きを示す情報とを記録媒体に記録する記録手段と、
前記記録媒体に記録された前記立体映像の画像データと、前記奥行きを示す情報とを読み出す読み出し手段と、
前記読み出し手段によって読み出された前記奥行きを示す情報に基づいて視差が設定された、前記立体映像に重畳して表示するための重畳画像を生成する生成手段と、
前記立体映像の画像データと、前記生成手段によって生成された前記重畳画像のデータとを合成し、当該合成された立体映像の画像データを表示装置に出力する表示出力手段と
を有することを特徴とする撮像装置。
【請求項８】
立体映像撮像装置によって撮像された立体映像を再生する再生装置の制御方法であって、
入力手段が、立体映像の画像データと、前記立体映像の画像データに関連付けて記録された付加データとを入力する入力ステップと、
取得手段が、前記付加データに基づいて前記立体映像における撮像時の注目位置の奥行きを示す奥行き情報を取得する取得ステップと、
生成手段が、前記取得した奥行き情報に基づいて視差が設定された、前記立体映像に重畳して表示するための前記立体映像以外の他映像の画像データを生成する生成ステップと、
重畳手段が、前記立体映像の画像データに前記生成ステップで生成された前記他映像の画像データを重畳する重畳ステップと、
表示手段が、前記他映像の画像データが重畳された前記立体映像の画像データを表示装置に出力する表示出力ステップと
を有することを特徴とする制御方法。
【請求項９】
立体映像を撮像する撮像装置の制御方法であって、
撮像手段が、立体映像を撮像する撮像ステップと、
位置検出手段が、前記撮像手段による撮像時における前記立体映像中の注目位置の奥行きを検出する検出ステップと、
記録手段が、前記立体映像の画像データと、前記検出ステップで検出された前記注目位置の奥行きを示す情報とを記録媒体に記録する記録ステップと、
読み出し手段が、前記記録媒体に記録された前記立体映像の画像データと、前記奥行きを示す情報とを読み出す読み出しステップと、
生成手段が、前記読み出しステップで読み出された前記奥行きを示す情報に基づいて視差が設定された、前記立体映像に重畳して表示するための重畳画像を生成する生成ステップと、
表示出力手段が、前記立体映像の画像データと、前記生成ステップで生成された前記重畳画像のデータとを合成し、当該合成された立体映像の画像データを表示装置に出力する表示出力ステップと
を有することを特徴とする制御方法。
【請求項１０】
撮像装置により立体映像を撮像し、再生装置において撮像した立体映像を再生するシステムの制御方法であって、
前記撮像装置において、
撮像手段が、立体映像を撮像する撮像ステップと、
位置検出手段が、前記撮像手段による撮像時における前記立体映像中の注目位置の奥行きを検出する検出ステップと、
記録手段が、前記立体映像の画像データと、前記検出ステップで検出された前記注目位置の奥行きを示す情報とを記録媒体に記録する記録ステップとを行い、
前記再生装置において、
読み出し手段が、前記記録媒体に記録された前記立体映像の画像データと前記奥行きを示す情報とを読み出す読み出しステップと、
生成手段が、前記読み出しステップで読み出された前記奥行きを示す情報に基づいて視差が設定された、前記立体映像に重畳して表示するための重畳画像を生成する生成ステップと、
表示出力手段が、前記立体映像の画像データと、前記生成ステップで生成された前記重畳画像のデータとを合成し、当該合成された立体映像の画像データを表示装置に出力する表示出力ステップと
を行うことを特徴とする制御方法。
【請求項１１】
コンピュータを、請求項１乃至６のいずれか１項に記載の再生装置の各手段として機能させるためのプログラム。
【請求項１２】
コンピュータに、請求項８に記載の制御方法の各工程を実行させるためのプログラム。
【請求項１３】
請求項１１または１２に記載のプログラムを格納したことを特徴とするコンピュータが読み取り可能な記憶媒体。
【請求項１４】
立体画像を表示するために右画像と左画像とを表示装置に出力する表示手段と、
前記立体画像における注目点の奥行きを取得する取得手段と、
制御手段とを有し、
前記制御手段は、前記注目点の奥行きに基づいて、前記右画像に第１の画像を重畳し、前記左画像に第２の画像を重畳するように前記表示手段を制御し、
前記第１の画像は前記第２の画像に対して前記注目点の奥行きに対応する所定の視差を有することを特徴とする表示装置。
【請求項１５】
前記取得手段は、前記注目点の奥行きを前記立体画像に基づいて取得することを特徴とする請求項１４記載の表示装置。
【請求項１６】
前記取得手段は、前記注目点の奥行きを前記立体画像の取得時の情報に基づいて取得することを特徴とする請求項１４記載の表示装置。
【請求項１７】
前記取得手段は、前記注目点の奥行きを、前記表示装置に表示された視聴者の注目位置における前記右画像と前記左画像のズレ量に基づいて取得することを特徴とする請求項１４記載の表示装置。
【請求項１８】
コンピュータを請求項１４から１７のいずれか１項に記載の各手段として機能させるためのプログラム。
【請求項１９】
請求項１８記載のプログラムを格納したことを特徴とするコンピュータ読み取り可能な記録媒体。
【請求項２０】
立体画像を表示するために右画像と左画像とを表示装置に出力する表示工程と、
前記立体画像における注目点の奥行きを取得する取得工程と、
前記注目点の奥行きに基づいて、前記右画像に第１の画像を重畳し、前記左画像に第２の画像を重畳する重畳工程とを有し、
前記第１の画像は前記第２の画像に対して前記注目点の奥行きに対応する所定の視差を有することを特徴とする表示方法。